(57)【要約】【課題】  ボルトの頭部を保護し、怪我を防止するのみならず、いたずら防止用として、また、ボルト緩み止め用としても使用できると共に、専用工具（取外工具）でないとボルト用保護具を取り外すことができない等、セキュリティ効果を重複して開発されたボルト用保護具及び取外工具を提供する。【解決手段】  ボルトの外側にかぶせる保護キャップの円筒頭部より圧力を与えることにより円筒端末のフック部を屈曲してなる保護具において、円筒頭部に通孔を設けると共に、該通孔に特殊な形状及び／またはピッチの雌ネジを形成してなる取外部を設けてなることを特徴とするボルト用保護具。【選択図】図１
2008064299.tif 000002
【特許請求の範囲】
【請求項１】
ボルトの外側にかぶせる保護キャップの円筒頭部より圧力を与えることにより円筒端末のフック部を屈曲してなる保護具において、円筒頭部に通孔を設けると共に、該通孔に特殊な形状及び／またはピッチの雌ネジを形成してなる取外部を設けてなることを特徴とするボルト用保護具。
【請求項２】
取外部の下方に、ボルト緩み止めのためのスペーサーを設けてなることを特徴とする請求項１記載のボルト用保護具。
【請求項３】
ボルトの外側にかぶせる保護キャップの円筒頭部より圧力を与えることにより円筒端末のフック部を屈曲してなる保護具において、円筒頭部に通孔を設け、該通孔の下方にボルト緩み止めのための特殊な形状及び／またはピッチの雌ネジによる取外部を形設してなるスペーサーを設けてなることを特徴とするボルト用保護具。
【請求項４】
通孔に、目隠部…を設けてなることを特徴とする請求項１、２又は３記載のボルト用保護具。
【請求項５】
取外部に対応すべく、特殊な形状及び／またはピッチの雄ネジ軸によることを特徴とする取外工具。
【発明の詳細な説明】
【技術分野】
【０００１】  本発明は、被締結物を締結した主にナットを包み込むことにより、人や機械工具がナットに直接接触することを防止するものであり、人がナットに接触して怪我をすることを防ぐと共に、ナットが故意に取り外されることを防止し、特殊（専用）工具を使用して取り外す技術に関するものである。
【背景技術】
【０００２】  従来の技術として、回転を伝達する頭部とねじ山を形成した脚部とからなるねじにおいて、頭部の中心から放射方向に三等分された位置の頭部外周側に座面から頭部上面にかけて切欠部を形成し、この切欠部の脚部のねじ込み方向回転側に座面に対して直立する係合壁を形成し、ねじ戻し方向回転側に頭部の座面から頭部の上面に向かって座面から遠ざかる上り勾配に傾斜した案内面を形成したことを特徴とするいじり止めねじがある。（特許文献１参照）【０００３】  また、別の従来技術として、半球面ボルトの中央にナットを設けそのナットに別のねじ切りボルトをねじ込み難易度に応じ半球面ボルトの表面に数カ所の孔を開け樹脂や金属を埋め込む。（特許文献２参照）【０００４】  さらに別の従来技術として、螺合によって締結を行う締結部に装着され、締結部の取外しを防ぐ締結部取外し防止具であって、締結部の軸線方向の一方側から少なくともトルク伝達部を外囲し、内周側に溝を有するカバー部材と、外周側部分がカバー部材の内周側の溝に嵌合するように付勢され、カバー部材の溝が形成されていない内周面に沿って摺動可能なように、外周側からの押圧で径が縮小可能なばね部材とばね部材を、締結部の軸線方向に関して拘束する拘束部材とを含むことを特徴とする締結部取外し防止具がある。（特許文献３参照）
【特許文献１】  特開平１０−２２０４５３号公報
【特許文献２】  特開２００４−２５１４３３号公報
【特許文献３】  特開２００３−１１３８２９号公報
【発明の開示】
【発明が解決しようとする課題】
【０００５】  前者は従来の技術としてはねじの頭を半球形にし、角を持たないねじ頭は人に優しいねじとして需要がある。このねじをいたずらで緩められる事故が発生し、「いじり防止ねじ」として、一般のねじ回し工具では締付け出来ないし緩めることが出来ない「小ねじ」が多数発明された。これらはＭ１０以下のサイズの小ねじに限られている。【０００６】  中者の従来の技術としては自動車のナンバープレートの盗難が多発し取り付けた物を故意やいたずらから守り、その機能や盗難を防ぐものが発明された。これは「一度取付けると取外しに時間がかかるボルト」などのように、ボルト頭部にナットを設け別のボルトをねじ込み取外し作業を複雑にしたものであった。【０００７】  後者の従来の技術としては送電線鉄塔のボルト緩め事故発生以来、使用されているボルトやナットをキャップで覆う方向での「盗難防止キャップ」が多数発明されている。これらは汎用工具では廻せない・壊せないキャップと、キャップとボルトやナットとの結合に工夫があるが、「盗難防止キャップ」自身がボルトやナットよりも高価であり、また施工が簡易でない。【０００８】  本発明は、上記のような従来の構成が有していた問題を解決しようとするもので、ボルトの頭部を保護し、怪我を防止するのみならず、いたずら防止用として、また、ボルト緩み止め用としても使用できると共に、専用工具（取外工具）でないとボルト用保護具を取り外すことができない等、セキュリティ効果を重複して開発されたボルト用保護具及び取外工具を提供することを目的とするものである。
【課題を解決するための手段】
【０００９】  本発明は、上記の目的を達成するため、ボルトの外側にかぶせる保護キャップの円筒頭部より圧力を与えることにより円筒端末のフック部を屈曲してなる保護具において、円筒頭部に通孔を設けると共に、該通孔に特殊な形状及び／またはピッチの雌ネジを形成してなる取外部を設けてなる。
また、取外部の下方に、ボルト緩み止めのためのスペーサーを設けてなる。
そして、ボルトの外側にかぶせる保護キャップの円筒頭部より圧力を与えることにより円筒端末のフック部を屈曲してなる保護具において、円筒頭部に通孔を設け、該通孔の下方にボルト緩み止めのための特殊な形状及び／またはピッチの雌ネジによる取外部を形設してなるスペーサーを設けてなる。
さらに、通孔に、目隠部を設けてなる。
さらにまた、取外部に刻応すべく、特殊な形状及び／またはピッチの雄ネジ軸によることを特徴とする。
【発明の効果】
【００１０】１）、ボルト用保護具において、通孔に特殊な形状及び／またはピッチの雌ネジ部を形成してなる取外部を設けることにより、専用工具（取外工具）でしか取り外すことができず、セキュリティ効果が高いものである。
２）、スペーサーを設けることにより、ボルトの緩み止めを防止することができる。
３）、特殊な形状及び／またはピッチの取外部を形設してなるスペーサーにより、専用工具（取外工具）の使用とボルトの緩み止めの２つの効果を同時に有するものである。
４）、目隠部を設けることによりいたずら防止になると共に、中への雨水等の浸水を防止し、サビ止め効果も有する。
５）、取外工具においては、上記の取外部に対応する雄ネジ軸により、簡単・確実に取り外すことができる。
【発明の実施するための最良の形態】
【００１１】  ボルト用保護具１は、円筒状の保護キャップ２の円筒端末に、内側に適折曲してなるテーパー状のフック部３…を突設してなる保護具４における保護キャップ２の円筒頭部２ａにバーリング加工にて通孔５を設け、その内側に特殊な形状及び／またはピッチの雌ネジを形成してなる取外部６を設けてなるものである。
【００１２】  なお、取外部６の雌ネジの形状は、後述する取外工具に対応するものとするが、一般に市販されていないナットの雌ネジとし、例えば、山径及び／または谷径が小数点の寸法とするのが望ましい。
【００１３】  また、通孔５の上面にシールによる目隠部７を設けてもよく、キャップ状（図示せず）のものでもよい。
【００１４】  上記ボルト用保護具１を使用するための他の部材として、上記フック部３…が当ったときに内側に曲がりやすくするための半円状の溝８ａを平面円形状に形成してなる円盤状の第１座金８と、該第１座金８の上方に設けるフック部３…を係止するための係止溝９ａを形成してなる段差円盤状の第２座金９とを有する。
【００１５】  上記ボルト用保護具１の使用例を下記に述べる。
例えば、セキュリティを要するＢＯＸの枠ＹをボルトＢで固定し、その頭部Ｂａにボルト用保護具１を取り付ける場合、予め設けた第１座金８と第２座金９において、上方よりボルト用保護具１を取付工具ＴＫ（ボルト用保護具１の頭部と同形の受部ＵＢをもうけたものであるが、特に限定するものではない）にて打ち込む。
この時、フック部３…が第１座金８の溝８ａに当接し、内側に適宜折曲し、第２座金９の係止溝９ａにて係止固定される。
【００１６】  つぎに、第２実施例のボルト用保護具について述べる。
このボルト用保護具２１は、上記ボルト用保護具１に加え、取外部２６の下方に、ボルトＢ２の頭部Ｂ２ａの対辺に跨設する下向きコの字形のスペーサー１０を設けてなるものである。
なお、コの字ではなく、水平板によるスペーサー１０ａも一考である。
【００１７】  つづいて、第３実施例のボルト用保護具について述べる。
ボルト用保護具３１は、上記ボルト用保護具１とは異なり、バーリング加工によるものではなく、打ち抜き加工により通孔３５を設けると共に、中央に上記と同様な取外部３６を形成してなるスペーサー３１０を設けてなるものである。
【００１８】  各実施例のボルト用保護具において取り外し時に使用する取外工具について説明する。
取外工具１１は、上記取外部６・２６・３６に対応する特殊な形状及び／またはピッチの雄ネジ軸１１ａによるものである。
【００１９】  上記取外工具１１の使用例について述べる。
ボルト用保護具１に使用する場合、目隠部（図示せず）を取り外した後、通孔５の取外部６に対して、取外工具１１を螺入することにより、取外工具１１の先端がボルトＢの頭部Ｂａの上面に当り、さらに螺入することにより、ボルト用保護具１のフック部３…が外側へ曲がり係止溝９ａより外れ、取り外すことができるものである。
【００２０】  別の使用例について述べる。
ボルト用保護具３１に使用する場合、必要に応じて目隠部（図示せず）を取り外し、通孔３５より挿入し、スペーサー３１０の取外部３６に対して、取外工具１１を螺入することにより、取外工具１１の先端がボルトＢ３の頭部Ｂ３ａの上面に当り、さらに螺入することによりボルト用保護具３１のフック部３…が外側へ曲がり係止溝９ａより外れ取り外すことができるものである。
【００２１】  なお、ボルト用保護具２１においても同様に取外工具１１にて取り外しできるものである。
また、取外部の形状は、先端をＲ状や台形状等、特殊な形状とすることが望ましい。
さらに、ピッチも一般に市販されていない小数点単位のものとすることが望ましい。
【図面の簡単な説明】
【００２２】
【図１】本発明の第１実施例を示すボルト用保護具の縦断正面図。
【図２】本発明の第１実施例を示すボルト用保護具に使用する第１・２座金の縦断正面図。
【図３】本発明の第１実施例を示すボルト用保護具の使用状態図。
【図４】本発明の第２実施例を示すボルト用保護具の使用状態図。
【図５】本発明の第３実施例を示すボルト用保護具の使用状態図。
【図６】本発明の一実施例を示す取外工具の正面図。
【図７】本発明の第１実施例を示すボルト用保護具の取り外し状態図。
【図８】本発明の第３実施例を示すボルト用保護具の取り外し状態図。
【符号の説明】
【００２３】１−−−ボルト用保護具
２−−−保護キャップ
２ａ−−円筒頭部
３−−−フック部
４−−−保護具
５−−−通孔
６−−−取外部
７−−−目隠部
８−−−第１座金
８ａ−−溝
９−−−第２座金
９ａ−−係止溝
１０−−スペーサー
１１−−取外工具
１１ａ−雄ネジ軸
Ｂ−−−ボルト
Ｂａ−−頭部
ＴＫ−−取付工具
ＵＢ−−受部
【図１】
2008064299.tif 000003
【図２】
2008064299.tif 000004
【図３】
2008064299.tif 000005
【図４】
2008064299.tif 000006
【図５】
2008064299.tif 000007
【図６】
2008064299.tif 000008
【図７】
2008064299.tif 000009
【図８】
2008064299.tif 000010